(57)【要約】      （修正有）【課題】ボルト又はナットを回転させるレンチ又はその他の工具を人体その他に吊り下げ、工具等の落下による不慮の事故を未然に防止すること。【解決手段】細い撚りワイヤーの一端部に工具孔との掛止具を固定し、他端部に吊具のフックを掛止部に設けたことを特徴とする工具吊り具であり、掛止具は撚りワイヤー端に固定すると共に、工具孔との掛け止め手段を具備する。【選択図】図１
2006231502.tif 000002
【特許請求の範囲】
【請求項１】
細い撚りワイヤーの一端部に工具孔との掛止具を固定し、他端部に、吊具のフックを掛止する掛止部を設けたことを特徴とする工具吊り具。
【請求項２】
掛止具は、撚ワイヤー端に固着すると共に、工具孔との掛止手段と、固定手段を具備することを特徴とした請求項１記載の工具吊り具。
【請求項３】
撚ワイヤーは少なくとも２本とし、その外側に保護パイプを装着したことを特徴とする請求項１又は２記載の工具吊り具。
【請求項４】
工具の柄部に設けた貫通孔へ、吊り具の一端部を挿通固定し、吊り具の他端部をフックに掛止できるように環状部としたことを特徴とする工具吊り装置。
【請求項５】
貫通孔の少なくとも一側口縁は、工具の表面より凹入させてあり、吊り具の固定手段は、前記凹入部内へ収容されることを特徴とする請求項４記載の工具吊り装置。
【発明の詳細な説明】
【技術分野】
【０００１】
この発明は、ボルト又はナットを回転させるレンチ又はその他の工具（比較的高所作業で使用する各種工具）を人体その他に吊り下げ、工具等の落下による不慮の事故を未然に防止することを目的とした工具吊り具及び工具吊り装置に関する。
【背景技術】
【０００２】
従来レンチ（例えばラチェットレンチ）、ハンマーその他の工具を持って、高所で作業する者は、工具等の落下を防止し、不慮の事故を未然に防止すべく、工具の挿入袋、固定帯などに工夫を加えたり、工具２に孔３を開けて、吊りワイヤー１を孔３の中に通して、縛着固定し、又は吊環１８とフック１３を介して吊り下げたりしている（図３）。
【特許文献１】実用新案登録第３０５８３１９号
【発明の開示】
【発明が解決しようとする課題】
【０００３】
前記従来の技術は何れも高所で作業中に工具が落下する為に生じる不慮の事故を防止する為に工夫され、各作業者が工夫を加えている。
【０００４】
然し乍ら、作業中の不慮の事故は、無意識動作中に起こったり、又は使用中に手を滑らせるなどの不注意で生じたり、使用していないのに、掛止不十分の為に自重落下するなど、各種原因があったので、これを未然に防止するのは不可能視されていた。
【０００５】
また、吊り線が付いていても、吊り線が絡まったり、切れたり、その他の原因によって吊下しない状態になるなど事故の態様は千差万別であり、吊環を用いて改善されたが、工具をハンマー代りに用いる者があって、叩く時に吊環１８を切断するおそれがあるなど、前記各場合に全部対応することは極めて難しい問題点があった。
【課題を解決するための手段】
【０００６】
この発明は、一端部に工具孔との掛止具を固定し、他端部に吊具のフックを掛止めする掛止部を設けた工具吊り具を使用することにより、前記従来の問題点を解決したものである。
【０００７】
即ち、この発明は、細い撚りワイヤーの一端部に工具孔との掛止具を固定し、他端部に、吊具のフックを掛止部を設けたことを特徴とする工具吊り具であり、掛止具は、撚ワイヤー端に固着すると共に、工具孔との掛止手段と、固定手段を具備することを特徴とした請求項１記載の工具吊り具のものである。
【０００８】
また、他の発明は、工具の柄部に設けた貫通孔へ、吊り具の一端部を挿通固定し、吊り具の他端部をフックに掛止できるように環状部としたことを特徴とする工具吊り装置であり、貫通孔の少なくとも一側口縁は、工具の表面より凹入させてあり、吊り具の固定手段は、前記凹入部内へ収容されることを特徴とする請求項３記載の工具吊り装置のものであり、撚ワイヤーは少なくとも２本とし、その外側に保護パイプを装着したものである。
【０００９】
前記のように、この発明によれば一本の撚りワイヤー又は少なくとも２本の撚りワイヤーを使用し、その一端部に工具との固定手段を設け、他端部にフックとの掛止部を設けた最も簡単、かつ、強靭な構造とした為に、事故などを生じる余地がなく、取扱い上も、何ら問題がない。
【００１０】
また、工具との固定具を工具と面一にすれば、他物に接触又は衝突するおそれがなく、この点からも不慮の事故を防止することができた。
【００１１】
前記において、通常撚りワイヤー１本で安全性に問題はないが、ワイヤーの強度上太い（例えば直径１ｍｍ以上）を必要とする場合には、屈曲などに際し、不十分の場合がある。このような場合には、二本以上（二本〜四本）のワイヤーを使用する場合がある。このような場合に、ワイヤー相互に一体感が欠けると（線相互が放れると）他物に引掛り易くなる。そこで複数のワイヤーの外側に保護パイプ（例えば合成樹脂パイプ）を用いたものである。
【発明の効果】
【００１２】
この発明によれば、強靭な撚りワイヤーの一端部に工具固定手段を設け、他端にフックの掛止部を設けたので、各工具へ共通して使用し得ると共に、工具側へは取付け孔を設けるのみで良いのみならず、固定後、掛止手段が過度に突出するおそれがないなどの諸効果がある。
【００１３】
例えばレンチの場合に、これをハンマー代用に使用しても、誤って撚りワイヤーを切断するおそれがなく、工具類の落下を未然に防止することができる効果がある。
【発明を実施するための最良の形態】
【００１４】
この発明は、細い撚りワイヤーの一端部に工具孔との固定手段を設け、他端部にフックとの掛止手段を設けたものである。
【００１５】
前期固定手段は，工具孔に嵌る外径の嵌挿筒部の下端に工具孔より大径の固定柱を連設し、前記嵌挿筒部の外側にねじを切り、これに止ナットを螺合してある。
【００１６】
また、掛止手段は、撚りワイヤーを二重に曲げて掛止部を設け、端部を撚りワイヤーに固定（止筒で固定）して、フックの掛止輪を形成したものである。
【００１７】
従って、前記嵌挿筒部を工具孔に嵌めてナットを螺合すれば、撚りワイヤー端部を工具に固定することができる。
【実施例１】
【００１８】
この発明の実施例を図１について説明すると、数本の極細ワイヤーを撚り合わせて、細い撚りワイヤーを作り、前記撚りワイヤーをそのまま吊りワイヤー１とし、その一端部に、工具２の取付孔３に嵌挿できる筒体４ａと、その下端側に大径の止鍔４ｂを連設して、止具５とする。
【００１９】
前記筒体４ａ内へ、前記撚りワイヤー１はそのまま吊りワイヤー１ａとしてその一端を挿入固定する。前記吊りワイヤー１の固定には色々の方法があるが、例えば、止鍔４ｂと筒体４ａとの成形時に、ワイヤーの一端を溶着固化することが望ましい。何れにしても、吊りワイヤー１に強い力が掛っても、吊りワイヤー１が筒体から脱抜しないことが要件である。
【００２０】
前記筒体４ａの外側へねじ４ｃを切り、ナット６を螺合して止具５を工具２へ固定する。
【００２１】
前記吊りワイヤー１ａの他端部は、２つ折りにして、その端部と、ワイヤー本体とを止管７で固定して、掛止部８（環状部）を設けて、この発明の吊具１０を形成した。図中１３は吊紐１４のフックである。
【００２２】
前記実施例は、吊具１０端を工具２へ固定する為にナット６を用いたが、図１−（ｃ）のように、ワイヤー１に嵌装した可変パイプ９を加圧変形（９ａ）して、工具２と止具５を固定することもできる。
【実施例２】
【００２３】
この発明の装置について、図２の実施例を説明すると、工具２の取付孔３に、吊具１０の筒体４ａを嵌挿し、その止鍔４ｂと、ナット６により、吊具１０一端を工具２に固定して、この発明の工具吊り装置１２を完成した。
【００２４】
前記筒体４ａの止鍔４ｂの厚さは、前記取付孔３を設けた凹入部１１の深さとほぼ同等であるから、止鍔４ｂは、工具２の外壁面とほぼ面一となり、他物に触れるおそれはない。
【００２５】
従って、工具２の使用中に邪魔になるおそれがなく、他物に触れるおそれもないので、止具５が工具２から外れるおそれはない。
【実施例３】
【００２６】
この発明の他の実施例を、図３、４について説明すると、数本の極細ワイヤーを撚り合せて、細い撚りワイヤーを作り、これを１／２に折り曲げて吊りワイヤー１５とし、該吊りワイヤー１５の端部１５ａを止具１６の止管１６ａに挿入固定する（例えば溶融固着）。前記吊りワイヤー１５の端部１５ａと、折り曲げ側１５ｂ以外の外側に、合成樹脂製の保護管１７を嵌装する（図３）。前記折り曲げ側１５ｂには、吊紐１４のフック１３を掛ける。図中２は工具、１２は工具吊り装置である（図４）。
【００２７】
前記実施例において、吊りワイヤー１５は２本使用しているが、中間部に保護管１７を嵌装しているので、吊りワイヤー１５が他物にからまるおそれがなく、不慮の事故を未然に防止することができる。前記実施例の吊りワイヤー１５は２本であるが、３〜４本とすることを妨げない。
【図面の簡単な説明】
【００２８】
【図１】（ａ）この発明の実施例の正面図、（ｂ）同じく、固定部のナットを外した拡大図、（ｃ）同じく、他の固定部の実施例の拡大図、（ｄ）同じく、（ｃ）中Ａ−Ａ断面拡大図。
【図２】（ａ）同じく、工具へ吊具端を固定した一部を省略した正面図、（ｂ）同じく、平面図、（ｃ）同じく止具の固定部の断面拡大図。
【図３】この発明の他の実施例の正面図。
【図４】同じく工具へ吊具端を固定した一部を省略した正面図。
【図５】（ａ）従来の吊り下げ状態を示す説明図、（ｂ）同じく他の説明図。
【符号の説明】
【００２９】
１  吊りワイヤー
２  工具
３  取付孔
４  止鍔
５  止具
６  ナット
７  止筒
８  掛止部
９  可変パイプ
１０  吊具
１２  工具吊り装置
１５  吊りワイヤー
１７  保護管
【図１】
2006231502.tif 000003
【図２】
2006231502.tif 000004
【図３】
2006231502.tif 000005
【図４】
2006231502.tif 000006
【図５】
2006231502.tif 000007